(57)【特許請求の範囲】
【請求項１】
根太材上に中空部を有するデッキ材が取り付けられ、前記デッキ材の一部を取付部材に設けられた把持部が把持することで取付部材が取り付けられ、該取付部材に化粧材が取り付けられているデッキ端部化粧材の取付構造であって、前記取付部材は、上端から下端に至るまで一体で形成された板状体である本体の一方の面部に化粧材が取り付けられ、他方の面部に上板と下板とからなる把持部が該面部に一体に形成されると共に、前記上板の下面に突起部が形成され、前記デッキ材は上板部、下板部及びリブ部により中空部が形成された中空状のものであり、該デッキ材の長さ方向の端部において、前記取付部材の把持部の上板及び下板との間にデッキ材の下板部が挿入されて、本体の上端部とデッキ材の上板部の端面とが相対向された状態で、取付部材がデッキ材に取り付けられると共に、上板の下面に形成された前記突起部がデッキ材の下板部に食い込むことで、取付部材がデッキ材から外れにくくなされていることを特徴とするデッキ端部化粧材の取付構造。
【請求項２】
前記デッキ材は、同一断面が長さ方向に連続して形成された中空状のものであって、幅方向の両側端に前記把持部により把持されることが可能な挟着部が突設されていることを特徴とする請求項１に記載のデッキ端部化粧材の取付構造。
【請求項３】
前記取付部材は、同一断面に前記把持部とボックス部とが一体に形成されていることを特徴とする請求項１又は２に記載のデッキ端部化粧材の取付構造。
【発明の詳細な説明】
【技術分野】
【０００１】
本発明は、遊歩道や公園施設において設置されるベンチやテーブル，八ツ橋，ボードウォークの他、競技場観覧席、或いはベランダやテラスのデッキにおいて、端部の化粧材として使用される合成樹脂、合成木材、天然木材製の端部化粧材をデッキに固定するためのデッキ端部化粧材の取付構造に関するものである。
【背景技術】
【０００２】
根太材にデッキ材を取り付けて形成したデッキの端部は、そのままではデッキ材の断面や側面が露出し美観が損なわれることから、化粧材を取り付けて断面や側面を隠すようにしている。かかる化粧材の取り付けは、従来例えば複数の根太の両端部において根太の内部に根太蓋を嵌め込んで端面とした後、正面幕板をビスによって取り付け、また複数所定間隔に並べられた根太のうちの先端側に位置する根太の側面に、側面幕板をビスによって取り付けている床板材が開示されている（例えば特許文献１の図１及び図２）。
【０００３】
【特許文献１】特開２００５−２６４６６３号公報
【発明の開示】
【発明が解決しようとする課題】
【０００４】
しかしながら、特許文献１に記載のような従来のデッキ端部化粧材の取付構造では、化粧材を根太材にビス止めするものであり、デッキの端部まで根太材が設けられていなかったり、根太材が化粧材の取り付けに好ましくない場所に配置されていたりする場合にはビス止めが困難になるものであった。またデッキ材に直接ビス止めするとしても、デッキ材が中空材の中実断面が小さいものである場合には強固にビス止めできなくなる恐れがあった。
【０００５】
本発明は上記の如き課題に鑑みてなされたものであり、化粧材を直接根太材に固定する必要がなく、また中空のデッキ材に対しても強固に化粧材を取り付けることができるデッキ端部化粧材の取付構造を提供せんとするものである。
【課題を解決するための手段】
【０００６】
上記目的を達成するため、本発明は以下のような構成としている。すなわち、本発明に係わるデッキ端部化粧材の取付構造は、根太材上に中空部を有するデッキ材が取り付けられ、前記デッキ材の一部を取付部材に設けられた把持部が把持することで取付部材が取り付けられ、該取付部材に化粧材が取り付けられているデッキ端部化粧材の取付構造であって、前記取付部材は、上端から下端に至るまで一体で形成された板状体である本体の一方の面部に化粧材が取り付けられ、他方の面部に上板と下板とからなる把持部が該面部に一体に形成されると共に、前記上板の下面に突起部が形成され、前記デッキ材は上板部、下板部及びリブ部により中空部が形成された中空状のものであり、該デッキ材の長さ方向の端部において、前記取付部材の把持部の上板及び下板との間にデッキ材の下板部が挿入されて、本体の上端部とデッキ材の上板部の端面とが相対向された状態で、取付部材がデッキ材に取り付けられると共に、上板の下面に形成された前記突起部がデッキ材の下板部に食い込むことで、取付部材がデッキ材から外れにくくなされていることを特徴とするものである。
【０００７】
本発明に係わるデッキ端部化粧材の取付構造によれば、取付部材を介して化粧材を取り付けることで、根太材に直接化粧材を取り付ける必要がなく、また把持部を用いてデッキ材に取り付けられた取付部材に化粧材を取り付けるので、必ずしも根太材を用いて化粧材を取り付ける必要がなく、またデッキ材が中空のものであっても化粧材を強固に取り付けることができる。
【０００８】
また前記デッキ材は、同一断面が長さ方向に連続して形成された中空状のものであって、幅方向の両側端に前記把持部により把持されることが可能な挟着部が突設されていれば、デッキ材の長さ方向及び幅方向のいずれの端部に対しても取付部材を取り付けることができ好ましい。
【０００９】
また前記取付部材は、同一断面に前記把持部とボックス部とが一体に形成されていれば、ボックス部により断面二次モーメントが高められ、外力による変形等の不具合の発生を防止することができ好ましい。
【発明の効果】
【００１０】
本発明に係わるデッキ端部化粧材の取付構造によれば、取付部材を介して化粧材を取り付けることで、根太材に直接化粧材を取り付ける必要がなく、また把持部を用いてデッキ材に取り付けられた取付部材に化粧材を取り付けるので、デッキ材が中空のものであっても化粧材を強固に取り付けることができる。
【発明を実施するための最良の形態】
【００１１】
本発明に係わる最良の実施の形態について、図面に基づき以下に具体的に説明する。
【００１２】
図１〜図５は本発明に係わるデッキ端部化粧材の取付構造の、実施の一形態を示すもので、図１はデッキ端部化粧材の取付構造に用いられる取付部材の、実施の一形態を示す斜視図である。取付部材１は、縦長の板状体である本体１１の上下端に、化粧材を上下から保持する上下横保持部１２が設けられ、本体１１の化粧材が取り付けられる側と反対側には上板２１と下板２２とからなりデッキ材の一部を把持する把持部２が設けられている。上板２１の下面には突起部２３が設けられ、突起部２３は入り口側より奧側の傾斜が急になされていることで、把持したデッキ材３が抜けにくくなるようになされている。本体１１の把持部２が設けられた側の上端付近には、デッキ材の一部を嵌着させる段差部１３が設けられている。かかる取付部材１は同一断面を連続して形成し、適宜長さに切断することで形成したものであり、例えばアルミニウム押出形材により形成されたものである。
【００１３】
図２は、デッキの形成の状態を示す斜視図である。金属製の中空体である根太材５上に中空のデッキ材４が取付金具４１を用いて複数並べられて取り付けられ、周囲には化粧材３が取り付けられてデッキが形成される。根太材５は、下方から支持部材６により支持されて地表面からデッキ材４及び根太材５が距離を隔てて設置されるようになされている。このデッキ材４への化粧材３の取り付けには、取付部材１が用いられており、取付部材１に対して化粧材３はビスＢ１によりビス止めされる。
【００１４】
図３は、デッキ材４を示す斜視図である。デッキ材４は合成樹脂５０重量％と木粉５０重量％が配合された合成木材であり、押出成形により長さ方向に同一断面が連続して形成されている。デッキ材４は上板部４１、下板部４２及びリブ部４３により三体の中空部４４が形成された中空状のものであり、長さ方向に幅方向の両側縁には、板状で先端が膨張された形状となされた挟着部４５が形成されている。
【００１５】
図４は、デッキ材４への取付部材１及び化粧材３の取り付け状態を示すもので、取付部材１をデッキ材４の長さ方向の端部に取り付けた状態を縦断面図である。取付部材１に設けられた把持部２の、上板２１と下板２２との間にデッキ材４の下板部４２が挟まれて取付部材１がデッキ材４に取り付けられている。取付部材１はアルミニウム押出形材から形成されていることで、上板２１及び下板２２が反発力を保持したまま適度に弾性変形することができ、下板部４２の嵌入を比較的容易にできると共に、嵌入後に上板２１及び下板２２の反発力により下板部４２を強く把持するようにできる。把持部２は上板部４１を把持するようにしてもよいが、本実施形態の如く下板部４２を把持することで、デッキ材４に取り付けられた取付部材１が目立ちにくく美観を高めることができ好ましい。化粧材３は取付部材１の上下横保持部１２間に保持されると共に、化粧材３を貫通させたビスＢ１が取付部材１の本体１１に螺着されることで取付部材１に取り付けられている。取付部材１は、把持部２に設けられた突起部２３が下板部４２に食い込むことでデッキ材４から外れにくくなされているが、必要に応じて把持部２と下板部４２とを下方からビス等を用いて締結し、更に強固に固定するようにしてもよい。
【００１６】
また化粧材３の取付部材１への取り付けにおいては、上下横保持部１２を相対向して開口する溝状のものとし、その溝状部分に化粧材３を摺動させて取り付けるようにして、ビス止めによらない取り付けを行うようにしてもよい。
【００１７】
取付部材１は、適宜の材料を用いて形成してよいが、デッキの端部付近は比較的大きい外力がかかる部分であり、強度が高く且つ靱性の高い鉄鋼、ステンレス、アルミニウム、チタン、亜鉛等の一般に構造用として用いられる金属材料を用いて形成するのが好ましい。また把持部２等の複雑な形状を一体に設けるのであれば、上述の金属材料を用いた押出形材が好適であり、アルミニウム押出形材を最も好適に用いることができる。
【００１８】
化粧材３は、デッキを形成するのに適宜の材料を用いることができるが、デッキ材４と少なくとも外観が近似する材料を用いて形成するのが好ましく、より好ましくは例えばデッキ材４が上述の如き合成木材から形成されている場合には化粧材３も合成木材製とするのが好ましい。また化粧材３についてもデッキ材４と同様に中空の部材を用いてもよい。
【００１９】
図５は、取付部材１をデッキ材４の幅方向の端部に取り付けた状態を示す縦断面図である。把持部２には、デッキ材４の両側縁に一体に形成された挟着部４５が嵌入され、挟着部４５が上板２１及び下板２２との間に挟まれて、取付部材１がデッキ材４に取り付けられている。挟着部４５は把持部２の突起部２３により抜けにくくなされているが、挟着部４５の先端が膨張されていることで更に把持される力が強くなって取り付け強度が高められるようになされている。
【００２０】
また図６は、把持部２の変形の一例を示す縦断面図である。把持部２は上板２１と下板２２とが上下に間隔をおいて本体１１と一体に設けられ、デッキ材４の中空部４４内に押し込まれて上板２１の上面と下板２２の下面とがデッキ材４の上面部４１及び下面部４２に圧接され、上板２１及び下板２２の上下方向の反発力によりデッキ材４を把持している。上板２１の上面及び下板２２の下面にはそれぞれ突起部２３が設けられて、押し込まれた把持部２が中空部４４から抜けにくくなされている。かかる構成により、上板２１と下板２２との間隔を大きくして、把持部２を中空部４４に押し込む作業を行う際に、上板２１と下板２２との押し込み量が異なった場合でも取付部材１が傾く度合いを小さいものとできる。
【００２１】
図７及び図８は、本発明に係わるデッキ端部化粧材の取付構造の、他の実施形態を示すもので、図７は取付部材１の他の例を示す斜視図である。取付部材１は、本体１１に上下横保持部１２や上板２１及び下板２２からなる把持部２等が設けられているが、更に本体１１にボックス部１４が一体に設けられている。ボックス部１４は一部が把持部２の下板２２を兼ねるものであり、下板２２をボックス部１４が兼ねることで、取付部材１全体の断面二次モーメントを高めるのみならず、下板２２の強度も高めて下板２２の変形による把持部２の把持力の低下を防止している。ボックス部１４の下面には、ビス止め用の凹溝部１５が設けられている。また本体１１と上板２１との接続部分は、上方に曲面が設けられていることで、更に把持部２による把持力の低下を抑えることができるようになされている。
【００２２】
図８は、デッキ材４の幅方向の端部に取付部材１及び化粧材３を取り付けた状態を示す縦断面図である。把持部２にはデッキ材４に一体に形成された挟着部４５が挟まれているが、上方に曲面が設けられた上板２１とボックス部１４の上面を形成している下板２２とに把持されることで、把持部２の塑性変形が起こりにくくなって把持力２の保持が図られるようになされている。また上板２１の下面には、途中に突起部２３が設けられていない無突起部２４が備えられ、この無突起部２４に挟着部４５の膨張された部位が配置されることで、嵌着後の上板２１の変形量を小さくして更に塑性変形が起こりにくくなされている。
【００２３】
図９は、図７及び図８に示した実施形態の、変形の一例を示す縦断面図である。取付部材１は図７に示したものと上下逆に用いられており、アルミニウム押出形材からなる根太材５に、凹溝部１５を用いてビスＢ２によりビス止めされている。取付部材１の上下横保持部１２間に化粧材３が保持されてビスＢ１によりビス止めされると共に、ボックス部１４の上面に上面化粧材３Ａがボックス部１４にビスＢ３によりビス止めされて設けられ、ボックス部１４の側面及び上面を化粧材３及び上面化粧材３Ａにより囲むようにしてもよい。かかる構成により、破損の起こりやすいデッキの端部付近がボックス部１４により下方から支持されて、上面化粧材３の破損等を起こりにくくでき、また上面化粧材３Ａが破損した場合でも、ビスＢ３を取り外して上面化粧材３Ａのみを交換して容易に修復することができるものとなり得る。
【図面の簡単な説明】
【００２４】
【図１】本発明に係わるデッキ端部化粧材の取付構造に用いる取付部材の一例を示す斜視図である。
【図２】本発明に係わるデッキ端部化粧材の取付構造が適用されるデッキの形成の状態を示す斜視図である。
【図３】本発明に係わるデッキ端部化粧材の取付構造に用いるデッキ材の一例を示す斜視図である。
【図４】本発明に係わるデッキ端部化粧材の取付構造の、実施の一形態を示す縦断面図である。
【図５】本発明に係わるデッキ端部化粧材の取付構造の、実施の一形態を示す縦断面図である。
【図６】本発明に係わるデッキ端部化粧材の取付構造の、把持部の変形の一例を示す縦断面図である。
【図７】本発明に係わるデッキ端部化粧材の取付構造に用いる取付部材の、他の例を示す斜視図である。
【図８】本発明に係わるデッキ端部化粧材の取付構造の、他の実施形態を示す縦断面図である。
【図９】本発明に係わるデッキ端部化粧材の取付構造の、更に他の実施形態を示す縦断面図である。
【符号の説明】
【００２５】
１    取付部材
２    把持部
３    化粧材
４    デッキ材
４５  挟着部
５    根太材
【図１】
0004714058.tif 000002
【図２】
0004714058.tif 000003
【図３】
0004714058.tif 000004
【図４】
0004714058.tif 000005
【図５】
0004714058.tif 000006
【図６】
0004714058.tif 000007
【図７】
0004714058.tif 000008
【図８】
0004714058.tif 000009
【図９】
0004714058.tif 000010